(57)【要約】 【課題】アクチュエータで高速度で駆動しても高精度に追従できる対物光学素子及びそれを用いた光ピックアップ装置を提供する。 【解決手段】レンズＬ２のフランジ部Ｌ２ｆの外周端面は、フランジ部Ｌ１ｆよりも光軸直交方向外方に位置しており、外方にはみ出した端面の領域Ａが基準面としてボビンＢＢに接着されるようになっているので、アクチュエータＡＣによって高速度に駆動されても、レンズＬ２の傾きを抑えることが出来、適切な情報の記録及び／又は再生を行える。【選択図】図３
2008226417.tif 000002
【特許請求の範囲】
【請求項１】
波長λ１の光束を射出する光源と、前記光束を光ディスクの情報記録面上に集光させるための対物光学素子とを有し、前記光束を前記光ディスクの情報記録面上に集光させることによって情報の記録及び／又は再生を行う光ピックアップ装置において、
前記対物光学素子は、光軸方向に配置されて一体的に連結された第１の光学素子及び第２の光学素子からなり、
前記第２の光学素子は、前記第１の光学素子より開口数（ＮＡ）が高くなっており、
前記対物光学素子をフォーカシング及び／又はトラッキング駆動するための駆動部材に、前記第２の光学素子が取り付けられていることを特徴とする光ピックアップ装置。
【請求項２】
前記駆動部材に、前記第２の光学素子のフランジ部が取り付けられていることを特徴とする請求項１に記載の光ピックアップ装置。
【請求項３】
前記駆動部材はボビンを有し、前記第２の光学素子が前記ボビンに取り付けられていることを特徴とする請求項１又は２に記載の光ピックアップ装置。
【請求項４】
前記第１の光学素子は平行平板であり、前記第２の光学素子はレンズであることを特徴とする請求項１〜３のいずれかに記載の光ピックアップ装置。
【請求項５】
前記波長λ１は３９０ｎｍ〜４１０ｎｍであることを特徴とする請求項１〜４のいずれかに記載の光ピックアップ装置。
【請求項６】
前記対物光学素子全体の像側開口数は０．７５以上であることを特徴とする請求項１〜５のいずれかに記載の光ピックアップ装置。
【請求項７】
前記第１の光学素子のフランジ部及び前記第２の光学素子のフランジ部のうち一方が、その他方に対して当接していることを特徴とする請求項１〜６のいずれかに記載の光ピックアップ装置。
【請求項８】
前記第１の対物光学素子と前記第２の対物光学素子とは、別の枠部材を介して連結されていることを特徴とする請求項１〜６のいずれかに記載の光ピックアップ装置。
【請求項９】
前記第２の光学素子において、前記光源側又は前記光ディスク側における光学面の面頂点は、そのフランジ部の同じ側の面よりも光軸方向に突出していることを特徴とする請求項１〜８のいずれかに記載の光ピックアップ装置。
【請求項１０】
光ピックアップ装置に用いる対物光学素子であって、前記対物光学素子は、光軸方向に配置されて一体的に連結された第１の光学素子及び第２の光学素子からなり、前記第２の光学素子は、前記第１の光学素子より開口数（ＮＡ）が高くなっており、前記対物光学素子の光軸から光軸直交方向において最も離れている部位は、前記第２の光学素子のフランジ部であることを特徴とする光ピックアップ装置用の対物光学素子。
【請求項１１】
前記第１の光学素子は平行平板であり、前記第２の光学素子はレンズであることを特徴とする請求項１０に記載の光ピックアップ装置用の対物光学素子。
【請求項１２】
前記対物光学素子全体の像側開口数は０．７５以上であることを特徴とする請求項１０又は１１に記載の光ピックアップ装置用の対物光学素子。
【請求項１３】
前記第１の光学素子のフランジ部及び前記第２の光学素子のフランジ部のうち一方が、その他方に対して当接していることを特徴とする請求項１０〜１２のいずれかに記載の光ピックアップ装置用の対物光学素子。
【請求項１４】
前記第１の対物光学素子と前記第２の対物光学素子とは、別の枠部材を介して連結されていることを特徴とする請求項１０〜１２のいずれかに記載の光ピックアップ装置用の対物光学素子。
【請求項１５】
前記第２の光学素子において、光軸方向の少なくとも一方の側における光学面の面頂点は、そのフランジ部の同じ側の面よりも光軸方向に突出していることを特徴とする請求項１０〜１４のいずれかに記載の光ピックアップ装置用の対物光学素子。
【発明の詳細な説明】
【技術分野】
【０００１】
本発明は、光ディスクに対して情報の記録及び／又は再生を行える光ピックアップ装置及びそれに用いる対物光学素子に関する。 
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。
【０００３】
ここで、高密度光ディスクに対して情報の記録／再生を行う場合、短波長の光束と、高開口数の集光光学系とが必要になるが、厳しい光学特性を満足させるために、対物光学素子を複数の光学素子から構成して、各光学面に別の機能を有する回折構造などを設けることが行われている。例えば、特許文献１には、２枚玉の対物光学素子を用いて、高密度光ディスクとＤＶＤ／ＣＤに対して互換可能に情報の記録／再生を行える光ピックアップ装置が開示されている。
【特許文献１】特開２００４−６２９７１号公報
【発明の開示】
【発明が解決しようとする課題】
【０００４】
ところで、２枚玉の対物光学素子の場合、一般的には光源側にはＮＡ（開口数）の小さな第１の光学素子が配置され、光ディスク側にＮＡの大きな第２の光学素子が配置される。かかる場合、図１に示すように、ＮＡの小さな光学素子Ｌ１のフランジ部Ｌ１ｆが光軸方向に円筒状に延在して、第２の光学素子Ｌ２のフランジ部Ｌ２ｆに当接するが、フランジ部Ｌ１ｆをボビンＢＢに取り付けている。ところが、フォーカシング又はトラッキングによって、対物光学素子ＯＢＪを高速度で駆動したときに、光学素子Ｌ１のフランジ部Ｌ１ｆに歪みが生じると、ＮＡの大きい第２の対物光学素子Ｌ２に無視できない傾きが生じ、いわゆる誤差感度が悪化してコマ収差等の劣化を招く恐れがある。
【０００５】
本発明は、かかる従来技術の問題点に鑑みてなされたものであり、アクチュエータで高速度で駆動しても高精度に追従できる対物光学素子及びそれを用いた光ピックアップ装置を提供することを目的とする。
【課題を解決するための手段】
【０００６】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 
【０００７】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。 
【０００８】
請求項１に記載の光ピックアップ装置用の対物光学素子は、波長λ１の光束を射出する光源と、前記光束を光ディスクの情報記録面上に集光させるための対物光学素子とを有し、前記光束を前記光ディスクの情報記録面上に集光させることによって情報の記録及び／又は再生を行う光ピックアップ装置において、
前記対物光学素子は、光軸方向に配置されて一体的に連結された第１の光学素子及び第２の光学素子からなり、
前記第２の光学素子は、前記第１の光学素子より開口数（ＮＡ）が高くなっており、
前記対物光学素子をフォーカシング及び／又はトラッキング駆動するための駆動部材に、前記第２の光学素子が取り付けられていることを特徴とする。
【０００９】
本発明によれば、前記対物光学素子をフォーカシング及び／又はトラッキング駆動するための駆動部材に、第１の光学素子よりも感度が高い第２の光学素子が取り付けられているので、対物光学素子を高速度で駆動しても、第２の光学素子の傾きを抑えることが出来、対物光学素子全体としての誤差感度特性を向上させることができる。なお、第１の光学素子、第２の光学素子それぞれについて、有効径Φを焦点距離ｆで除した値Φ／ｆを、それぞれの光学素子のここでいう開口数ＮＡとみなすことができる。
【００１０】
請求項２に記載の光ピックアップ装置は、請求項１に記載の発明において、前記駆動部材に、前記第２の光学素子のフランジ部が取り付けられていることを特徴とする。
【００１１】
請求項３に記載の光ピックアップ装置は、請求項１又は２に記載の発明において、前記駆動部材はボビンを有し、前記第２の光学素子が前記ボビンに取り付けられていることが好ましい。しかし、ボビンとフランジ部を一体化して、例えばアクチュエータの駆動ワイヤを、前記第２の光学素子のフランジ部に直接固定しても良い。
【００１２】
請求項４に記載の光ピックアップ装置は、請求項１〜３のいずれかに記載の発明において、前記第１の光学素子は平行平板であり、前記第２の光学素子はレンズであることを特徴とする。平行平板及び／又はレンズは、光路差付与構造を有していてもよい。
【００１３】
請求項５に記載の光ピックアップ装置は、請求項１〜４のいずれかに記載の発明において、前記波長λ１は３９０ｎｍ〜４１０ｎｍであることを特徴とする。
【００１４】
請求項６に記載の光ピックアップ装置は、請求項１〜５のいずれかに記載の発明において、前記対物光学素子全体の像側開口数は０．７５以上であることを特徴とする。
【００１５】
請求項７に記載の光ピックアップ装置は、請求項１〜６のいずれかに記載の発明において、前記第１の光学素子のフランジ部及び前記第２の光学素子のフランジ部のうち一方が、その他方に対して当接していることを特徴とする。第１の光学素子と第２の光学素子を直接接合して、対物光学素子を形成している場合は、光学用プラスチックなどの比較的ひずみが生じやすい光学素子で用いられる材料で光学素子が固定されるため、固定用の別の枠体を用いる場合に比べて、対物光学素子全体としてひずみが生じる可能性が高くなる。従って、誤差感度の問題が起きる可能性が高い形態であるが、この様な対物光学素子であっても本発明は誤差感度を低減する事ができるため、本発明の効果がより顕著となる。
【００１６】
請求項８に記載の光ピックアップ装置は、請求項１〜６のいずれかに記載の発明において、前記第１の対物光学素子と前記第２の対物光学素子とは、別の枠部材を介して連結されていることを特徴とする。
【００１７】
請求項９に記載の光ピックアップ装置は、請求項１〜８のいずれかに記載の発明において、前記第２の光学素子において、前記光源側又は前記光ディスク側における光学面の面頂点は、そのフランジ部の同じ側の面よりも光軸方向に突出していることを特徴とする。これにより前記第２の光学素子の軽量化を図れる。
【００１８】
請求項１０に記載の光ピックアップ装置用の対物光学素子は、光ピックアップ装置に用いる対物光学素子であって、前記対物光学素子は、光軸方向に配置されて一体的に連結された第１の光学素子及び第２の光学素子からなり、前記第２の光学素子は、前記第１の光学素子より開口数（ＮＡ）が高くなっており、前記対物光学素子の光軸から光軸直交方向において最も離れている部位は、前記第２の光学素子のフランジ部であることを特徴とする。
【００１９】
本発明によれば、前記対物光学素子の光軸から光軸直交方向において最も離れている部位は、前記第２の光学素子のフランジ部であるため、その最も離れている部位をアクチュエータの駆動部材に取り付けることによって、前記対物光学素子を高速度で駆動しても、前記第２の光学素子の傾きを抑えることが出来、誤差感度特性を向上させることができる。
【００２０】
請求項１１に記載の光ピックアップ装置用の対物光学素子は、請求項１０に記載の発明において、前記第１の光学素子は平行平板であり、前記第２の光学素子はレンズであることを特徴とする。
【００２１】
請求項１２に記載の光ピックアップ装置用の対物光学素子は、請求項１０又は１１に記載の発明において、前記対物光学素子全体の像側開口数は０．７５以上であることを特徴とする。
【００２２】
請求項１３に記載の光ピックアップ装置用の対物光学素子は、請求項１０〜１２のいずれかに記載の発明において、前記第１の光学素子のフランジ部及び前記第２の光学素子のフランジ部のうち一方が、その他方に対して当接していることを特徴とする。
【００２３】
請求項１４に記載の光ピックアップ装置用の対物光学素子は、請求項１０〜１２のいずれかに記載の発明において、前記第１の対物光学素子と前記第２の対物光学素子とは、別の枠部材を介して連結されていることを特徴とする。
【００２４】
請求項１５に記載の光ピックアップ装置用の対物光学素子は、請求項１０〜１４のいずれかに記載の発明において、前記第２の光学素子において、光軸方向の少なくとも一方の側における光学面の面頂点は、そのフランジ部の同じ側の面よりも光軸方向に突出していることを特徴とする。
【発明の効果】
【００２５】
本発明によれば、アクチュエータで高速度で駆動しても高精度に追従できる対物光学素子及びそれを用いた光ピックアップ装置を提供することができる。
【発明を実施するための最良の形態】
【００２６】
以下、本発明の実施の形態を図面を参照して説明する。図２は、本実施の形態にかかる、互いに異なる３種類の光ディスク（高密度ＤＶＤ、ＤＶＤ及びＣＤ）に対して互換性を持ち、これらの光ディスクに情報を記録／再生することが可能に構成された光ピックアップ装置ＰＵ１の概略構成図である。図３は、本実施の形態の対物光学素子の断面図である。図４は、対物光学素子を駆動するアクチュエータの斜視図である。
【００２７】
図３において、対物光学素子ＯＢＪは、光源側に配置される平行平板（第１の光学素子）Ｌ１と、それよりも開口数が大きく且つ光ディスク側に配置されるレンズ（第２の光学素子）Ｌ２とを有する。平行平板Ｌ１のフランジ部Ｌ１ｆは、光軸方向に円筒状に延在している。一方、レンズＬ２のフランジ部Ｌ２ｆは、光軸直交方向に延在しており、その光源側には光軸と同心的に環状部Ｌ２ａが形成されている。フランジ部Ｌ１ｆが環状部Ｌ２ｆに嵌合することによって、平行平板１とレンズＬ２の光軸が一致するようになっている。更にフランジ部Ｌ１ｆは、フランジ部Ｌ２ｆの端面に当接して接着されている。かかる状態で、フランジ部Ｌ２ｆの外周端面は、フランジ部Ｌ１ｆよりも光軸直交方向外方に位置しており、外方にはみ出した端面の領域Ａが基準面としてボビンＢＢに接着されるようになっているので、アクチュエータＡＣによって高速度に駆動されても、レンズＬ２の傾きを抑えることが出来、適切な情報の記録及び／又は再生を行える。尚、レンズＬ２は、光源側及び前記光ディスク側における光学面の面頂点Ｘ１，Ｘ２は、そのフランジ部Ｌ２ｆの同じ側の面よりも光軸方向に突出している。
【００２８】
平行平板Ｌ１の光源側の光学面には光路差付与構造が形成されており、これを通過した波長λ１＝４０５ｎｍの光束は０次回折光の光強度が最も高くなり、更に通過した波長λ２＝６５５ｎｍの光束は１次回折光の光強度が最も高くなり、通過した波長λ３＝７８５ｎｍの光束は０次回折光の光強度が最も高くなる。更に、平行平板Ｌ１の光ディスク側の光学面にも光路差付与構造が形成されており、これを通過した波長λ１の光束は０次回折光の光強度が最も高くなり、更に通過した波長λ２の光束は０次回折光の光強度が最も高くなり、通過した波長λ３の光束は１次回折光の光強度が最も高くなる。これにより、異なる光束の波長差を利用して光ディスクの保護基板厚さの差に起因する球面収差を補正でき、互換使用を実現できる。
【００２９】
図４に示すアクチュエータＡＣにおいて、ヨークを兼ねた板状のベース１は、光ピックアップ装置ＰＵ１のハウジング（図２）に固定される。ベース１上には、筐体２が固定されている。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ボビンＢＢの側面に取り付けられた固定具１４にハンダ付けされている。ワイヤ４は、ベース１に対してボビンＢＢを移動可能に支持する機能と、不図示の配線が接続される基板３から、コイルに対して給電するための機能とを有する。なお、筐体２内には、ワイヤ４のダンピング効果のあるジェル（不図示）が充填されている。
【００３０】
ベース１に対して可動となっている樹脂製のボビンＢＢは、図４に示すようにバランスに優れた略十字形であり、中央の円形開口（不図示）内に対物光学素子ＯＢＪを装着している。この対物光学素子ＯＢＪは、光ピックアップ装置において、光ディスクの情報記録面にレーザ光束を集光するために用いられる。又、ボビンＢＢは、両側に２つの矩形開口５ａ（手前側のみ図示）を形成している。
【００３１】
手前側の矩形開口５ａ内には、Ｌ字状の板を背中合わせにしたヨーク７Ａ、８Ａが上方より延在している。矩形開口５ａ内には、ヨーク７Ａ，８Ａの周囲を巻回するようにして第１コイル群Ｇ１が配置されている。第１コイル群Ｇ１に対し、矩形開口５ａを隔てて手前側には磁石１０Ａが配置され、奥側には磁石１０Ｂが配置されている。磁石１０Ａはヨーク７Ｂに裏打ちされ、磁石１０Ｂはヨーク８Ｂに裏打ちされている。ヨーク７Ｂ、８Ｂはベース１の一部であり、ヨーク７Ｂの上端にはヨーク７Ａの端部が連結され、ヨーク８Ｂの上端にはヨーク８Ａの端部が連結されている。第１コイル群Ｇ１と磁石１０Ａ及び１０Ｂとの間には、第１コイル群Ｇ１と巻軸線が直交するように巻かれたトラッキングコイル１１Ａ、１１Ｂが配置されている。
【００３２】
一方、矩形開口５ａに対し対物光学素子ＯＢＪを挟んで奥側の矩形開口内には、Ｌ字状の板を背中合わせにしたヨーク７Ｃ、８Ｃが上方より延在している。矩形開口内には、ヨーク７Ｃ，８Ｃの周囲を巻回するようにして第２コイル群Ｇ２が配置されている。第２コイル群Ｇ２に対し、矩形開口を隔てて手前側には磁石１０Ｃが配置され、奥側には磁石１０Ｄが配置されている。磁石１０Ｃはヨーク７Ｃに裏打ちされ、磁石１０Ｄはヨーク８Ｄに裏打ちされている。ヨーク７Ｄ、８Ｄはベース１の一部であり、ヨーク７Ｄの上端にはヨーク７Ｃの端部が連結され、ヨーク８Ｄの上端にはヨーク８Ｃの端部が連結されている。第２コイル群Ｇ２と磁石１０Ｃ及び１０Ｄとの間には、第２コイル群Ｇ２と巻軸線が直交するように巻かれたトラッキングコイル（不図示）が配置されている。
【００３３】
次に、本実施の形態にかかるレンズ駆動装置の動作について説明する。ここでは、第１コイル群Ｇ１と第２コイル群Ｇ２は、それぞれ外側コイルと内側コイルとを２層に有しているものとする。但し、コイルは一層だけでも良い。
【００３４】
ワイヤ４を介して給電されたとき、第１のコイル群Ｇ１の外側コイルと第２のコイル群Ｇ２の外側コイルには、同じ電流値で同じ方向（ここでは時計回り）に電流が流れるため、フレミングの左手の法則により、２つのコイルには、図で上方に向かう磁力がそれぞれ生じる。従って、第１コイル群Ｇ１と第２コイル群Ｇ２が固定されたボビンＢＢは、図で上方に移動することなり、それにより対物光学素子ＯＢＪを光軸方向に移動させることでフォーカシング動作を実現することができる。なお、電流の向きを逆にすれば、ボビンＢＢは下方に移動する。
【００３５】
一方、第１のコイル群Ｇ１の内側コイルには、時計回りの方向に電流を流し、第２のコイル群Ｇ２の内側コイルには、反時計回りの方向に電流を流すと、フレミングの左手の法則により、一方の内側コイルには、図で上方に向かう磁力が生じ、他方の内側コイルには、図で下方に向かう磁力が生じる。従って、光軸の位置を中心としてボビンＢＢを傾けるモーメントが作用することとなる。これにより対物光学素子ＯＢＪを傾けるティルト動作を実現することができる。なお、電流の向きを逆にすれば、ボビンＢＢは逆側に傾く。チルト調整動作を外側コイルを用いて行い、フォーカシング動作を内側コイルを用いて行っても良い。
【００３６】
更に、トラッキングコイル１１Ａ〜１１Ｄに電流を流すことで、ボビンＢＢを対物光学素子ＯＢＪと共に、光軸に直交する方向に移動可能となっており、それによりトラッキング動作を行うことができる。
【００３７】
光ピックアップ装置ＰＵ１の動作について説明する。図２において、ＢＤ（又はＨＤでもよい）に対して情報の記録／再生を行う場合には、第１の半導体レーザＬＤ１を発光させる。第１の半導体レーザＬＤ１から射出された波長λ１の発散光束は、図２において実線でその光線経路を描いたように、ビームシェイパＳＨ１を通過し、第１偏光ビームスプリッタＰＢＳ１を通過し、コリメータＣＯＬを通過して平行光束となり、更に第１ダイクロイックプリズムＤＰ１、第２ダイクロイックプリズムＤＰ２、λ／４波長板ＱＷＰを通過し、対物光学素子ＯＢＪに入射した後、ＢＤの保護基板を介して情報記録面ＲＬ１上に形成されるスポットとなる。対物光学素子ＯＢＪは、アクチュエータＡＣによってボビンＢＢごと駆動されフォーカシングやトラッキングが行われる。
【００３８】
情報記録面ＲＬ１で情報ピットにより変調された反射光束は、再び対物光学素子ＯＢＪを通過し、λ／４波長板ＱＷＰ、第２ダイクロイックプリズムＤＰ２、第１ダイクロイックプリズムＤＰ１、コリメータＣＯＬを通過し、第１偏光ビームスプリッタＰＢＳ１で反射され、第１シリンドリカルレンズＬ１１，第１センサレンズＬ１２を介して第１光検出器ＰＤ１により受光される。そして、第１光検出器ＰＤ１の出力信号を用いてＢＤに記録された情報を読み取ることができる。
【００３９】
次に、ＤＶＤに対して情報の記録／再生を行う場合には、第２の半導体レーザＬＤ２を発光させる。第２の半導体レーザＬＤ２から射出された波長λ２の発散光束は、図２において一点鎖線でその光線経路を描いたように、第２偏光ビームスプリッタＰＢＳ２を通過し、更に第１ダイクロイックプリズムＤＰ１で反射され、第２ダイクロイックプリズムＤＰ２、λ／４波長板ＱＷＰを通過し、対物光学素子ＯＢＪに入射した後、ＤＶＤの保護基板を介して情報記録面ＲＬ２上に形成されるスポットとなる。対物光学素子ＯＢＪは、アクチュエータＡＣによってボビンＢＢごと駆動されフォーカシングやトラッキングが行われる。
【００４０】
情報記録面ＲＬ２で情報ピットにより変調された反射光束は、再び対物光学素子ＯＢＪを通過し、λ／４波長板ＱＷＰ、第２ダイクロイックプリズムＤＰ２を通過し、第１ダイクロイックプリズムＤＰ１で反射され、また第２偏光ビームスプリッタＰＢＳ２で反射され、第２シリンドリカルレンズＬ２１，第２センサレンズＬ２２を介して第２光検出器ＰＤ２により受光される。そして、第２光検出器ＰＤ２の出力信号を用いてＤＶＤに記録された情報を読み取ることができる。
【００４１】
更に、ＣＤに対して情報の記録／再生を行う場合には、第３の半導体レーザＬＤ３を発光させる。第３の半導体レーザＬＤ３から射出された波長λ３の発散光束は、図２において点線でその光線経路を描いたように、第３偏光ビームスプリッタＰＢＳ３を通過し、更に第２ダイクロイックプリズムＤＰ２で反射され、λ／４波長板ＱＷＰを通過し、対物光学素子ＯＢＪに入射した後、ＣＤの保護基板を介して情報記録面ＲＬ３上に形成されるスポットとなる。対物光学素子ＯＢＪは、アクチュエータＡＣによってボビンＢＢごと駆動されフォーカシングやトラッキングが行われる。
【００４２】
情報記録面ＲＬ３で情報ピットにより変調された反射光束は、再び対物光学素子ＯＢＪを通過し、λ／４波長板ＱＷＰを通過し、第２ダイクロイックプリズムＤＰ２で反射され、また第３偏光ビームスプリッタＰＢＳ３で反射され、第３シリンドリカルレンズＬ３１，第３センサレンズＬ３２を介して第３光検出器ＰＤ３により受光される。そして、第３光検出器ＰＤ３の出力信号を用いてＣＤに記録された情報を読み取ることができる。
【００４３】
図５は、別な実施の形態にかかる対物光学素子の断面図である。図５の実施の形態においては、平行平板Ｌ１と、レンズＬ２とが別体の枠部材ＭＦで保持されている。平行平板Ｌ１のフランジ部Ｌ１ｆの外周と、レンズＬ２のフランジ部Ｌ２ｆの環状部Ｌ２ａとに、枠部材ＭＦが嵌合することによって、平行平板Ｌ１とレンズＬ２とを同軸に連結している。図５に示すように、本実施の形態において、フランジ部Ｌ２ｆの外周端面は、枠部材ＭＦよりも光軸直交方向外方に位置しており、外方にはみ出した端面の領域Ｂが基準面としてボビンＢＢに接着されるようになっている。
【００４４】
以上、本発明を実施の形態を参照して説明してきたが、本発明は上記実施の形態に限定して解釈されるべきではなく、適宜変更・改良が可能であることはもちろんである。例えば第１の光学素子は平行平板ではなくパワーを有するレンズであっても良い。又、第１の光学素子及び第２の光学素子の素材はプラスチックが望ましいが、ガラスでも良い。又、アクチュエータＡＣのワイヤ４を直接、第２の光学素子のフランジ部に接合しても良い。
【図面の簡単な説明】
【００４５】
【図１】従来技術にかかる対物光学素子の断面図である。
【図２】本実施の形態にかかる光ピックアップ装置ＰＵ１の概略構成を示す図である。
【図３】本実施の形態にかかる対物光学素子の断面図である。
【図４】光ピックアップ装置に用いるアクチュエータの斜視図である。
【図５】別な実施の形態にかかる対物光学素子の断面図である。
【符号の説明】
【００４６】
１ ベース
２ 筐体
３ 基板
４ ワイヤ
５ａ 矩形開口
７Ａ ヨーク
７Ｂ ヨーク
７Ｃ ヨーク
７Ｄ ヨーク
８Ａ ヨーク
８Ｂ ヨーク
８Ｃ ヨーク
８Ｄ ヨーク
１０Ａ 磁石
１０Ｂ 磁石
１０Ｃ 磁石
１０Ｄ 磁石
１１Ａ トラッキングコイル
１１Ｂ トラッキングコイル
１４ 固定具
ＡＣ アクチュエータ
ＢＢ ボビン
ＣＯＬ コリメータ
ＤＰ１ 第１ダイクロイックプリズム
ＤＰ２ 第２ダイクロイックプリズム
Ｇ１ 第１コイル群
Ｇ２ 第２コイル群
Ｌ１ 平行平板
Ｌ１１ 第１シリンドリカルレンズ
Ｌ１２ 第１センサレンズ
Ｌ１ｆ フランジ部
Ｌ２ レンズ
Ｌ２１ 第２シリンドリカルレンズ
Ｌ２２ 第２センサレンズ
Ｌ２ａ 環状部
Ｌ２ｆ フランジ部
Ｌ３１ 第３シリンドリカルレンズ
Ｌ３２ 第３センサレンズ
ＬＤ１ 第１半導体レーザ
ＬＤ２ 第２半導体レーザ
ＬＤ３ 第３半導体レーザ
ＭＦ 枠部材
ＯＢＪ 対物光学素子
ＰＢＳ１ 第１偏光ビームスプリッタ
ＰＢＳ２ 第２偏光ビームスプリッタ
ＰＢＳ３ 第３偏光ビームスプリッタ
ＰＤ１ 第１光検出器
ＰＤ２ 第２光検出器
ＰＤ３ 第３光検出器
ＰＵ１ 光ピックアップ装置
ＱＷＰ λ／４波長板
ＲＬ１ 情報記録面
ＲＬ２ 情報記録面
ＲＬ３ 情報記録面
ＳＨ１ ビームシェイパ
Ｘ１，Ｘ２ 面頂点
【図１】
2008226417.tif 000003
【図２】
2008226417.tif 000004
【図３】
2008226417.tif 000005
【図４】
2008226417.tif 000006
【図５】
2008226417.tif 000007